(57)【要約】【課題】人の上半身側に帯電微粒子水を集中させることで、帯電微粒子水による髪質改善や、肌の保湿という効果を十分に得ることが可能な車載用空気調和装置を提供する。【解決手段】水が静電霧化されることで生成される帯電微粒子水を車内へ放出する静電霧化装置２と、車内に各々配置された着座部１１とシートバック１２とヘッドレス１３トとからなるシート１Ａのシートバック１２に形成された吸引口１２ａと、前記吸引口１２ａを介して帯電微粒子水を吸引する吸引手段３とを備える【選択図】図１
2010076591.tif 000002
【特許請求の範囲】
【請求項１】
放電電極と、放電電極に高電圧を印加する高電圧印加手段と、放電電極に水を供給する水供給手段と、放電電極に高電圧を印加して放電電極に供給された水を静電霧化することで生成された帯電微粒子水を車内に放出するための放出口とを有する静電霧化装置と、
着座部とシートバックとヘッドレストとで構成され車内に配置されたシートのシートバックに形成された吸引口と、
前記吸引口を介して帯電微粒子水を吸引する吸引手段とを備えることを特徴とする車載用空気調和装置。
【請求項２】
前記吸引口は、シートバックのヘッドレスト側に設けられることを特徴とする請求項１記載の車載用空気調和装置。
【請求項３】
前記吸引口は、人が着座部に着座した際に人の背中が当接するシートバックの面に設けられることを特徴とする請求項１または２記載の車載用空気調和装置。
【請求項４】
前記吸引口は、シートバックの側面に設けられることを特徴とする請求項１乃至３いずれか記載の車載用空気調和装置。
【請求項５】
前記シートは、人が着座したことを検知する圧力センサが設けられ、人がシートに着座した際に圧力センサから送信される検知信号により前記吸引手段を動作させる制御手段を備えることを特徴とする請求項１乃至４いずれか記載の車載用空気調和装置。
【請求項６】
前記放出口は、車内の天井に設けられることを特徴とする請求項１乃至５いずれか記載の車載用空気調和装置。
【請求項７】
前記放出口は、車の空調装置の送風路に連通していることを特徴とする請求項１乃至５いずれか記載の車載用空気調和装置。
【発明の詳細な説明】
【技術分野】
【０００１】
本発明は、車載用空気調和装置に関するものである。
【背景技術】
【０００２】
従来から用いられている車載用空気調和装置では、空調装置の送風口から空調装置の送風と共に帯電微粒子水を車内に放出し、帯電微粒子水を拡散させている。
【０００３】
しかし、上記方法により車内へ帯電微粒子水を拡散させても、帯電微粒子水の濃度が均一とならないため、帯電微粒子水による脱臭効果は得られても、髪質改善や肌の保湿といった効果を十分に得ることが困難であった。
【０００４】
そこで、吸引口をシートの着座部の側面に設けて、帯電微粒子水を吸引口に吸い込むことで車内の帯電微粒子水の濃度を均一にしようとしているものがある（例えば、特許文献１参照）。
【特許文献１】特許３３０１１０９号
【発明の開示】
【発明が解決しようとする課題】
【０００５】
しかしながら、上記従来例における車載用空気調和装置では、車内に放出された帯電微粒子水が、着座部の側面に設けられた吸込口に吸引されるため、下半身側に帯電微粒子水が集中する。従って、シートに着座した人の下半身側に帯電微粒子水が集中することで、シートに着座した人の上半身側には帯電微粒子水が行き渡らず、髪質改善や肌の保湿効果という帯電微粒子水による効果を十分に与えることができなかった。さらには、車内に放出した帯電微粒子水の殆どが下半身側に集中して髪質改善や肌の保湿効果に寄与することがなく、効率の悪いものであった。
【０００６】
本発明は、上記事由に鑑みてなされたものであり、その目的は、人の上半身側に帯電微粒子水を集中させることで、帯電微粒子水による髪質改善や、肌の保湿という効果を十分に得ることが可能な車載用空気調和装置を提供することにある。
【課題を解決するための手段】
【０００７】
請求項１の発明は、放電電極と、放電電極に高電圧を印加する高電圧印加手段と、放電電極に水を供給する水供給手段と、放電電極に高電圧を印加して放電電極に供給された水を静電霧化することで生成された帯電微粒子水を車内に放出するための放出口とを有する静電霧化装置と、着座部とシートバックとヘッドレストとで構成され車内に配置されたシートのシートバックに形成された吸引口と、前記吸引口を介して帯電微粒子水を吸引する吸引手段とを備えることを特徴とする。
【０００８】
この発明によれば、シートに着座した人の上半身側に帯電微粒子水を集中させることができ、髪質改善や、肌の保湿という効果を十分に得ることが可能となる。
【０００９】
請求項２の発明は、請求項１の発明において、前記吸引口は、シートバックのヘッドレスト側に設けられることを特徴とする。
【００１０】
この発明によれば、シートに着座した人の顔や髪の周囲に、より集中的に帯電微粒子水を集めることができるので、髪質改善や肌の保湿という効果をより高めることができ、更には、吸引口への吸い込み風によって、頭部から肩口にかけての蒸れが防止されてリラックス効果を得ることができる。
【００１１】
請求項３の発明は、請求項１または２の発明において、前記吸引口は、人が着座部に着座した際に人の背中と当接するシートバックの面に設けられることを特徴とする。
【００１２】
この発明によれば、シートに着座した人の上半身の周囲に、集中的に帯電微粒子水を集めることで、顔や髪の周囲の帯電微粒子の濃度を高めて、髪質改善や肌の保湿という効果を得ることができ、更に、人の背中とシートバックとの間の空気を吸引することで、背中とシートバックとの間の湿度を低下させて、蒸れを防止してリラックス効果を得ることができる。
【００１３】
請求項４の発明は、請求項１乃至３いずれかの発明において、前記吸引口は、シートバックの側面に設けられることを特徴とする。
【００１４】
この発明によれば、シートに着座した人の上半身の周囲に、集中的に帯電微粒子水を集めることで、顔や髪の周囲の帯電微粒子の濃度を高めて、髪質改善や肌の保湿という効果を得ることができ、更に、上半身を帯電微粒子水が包み込むように流れることで、リラックス効果を得ることができる。
【００１５】
請求項５の発明は、請求項１乃至４いずれかの発明において、前記シートは、人が着座したことを検知して検知信号を送信する圧力センサが設けられ、人がシートに着座した際に圧力センサから送信される検知信号により前記吸引手段を動作させる制御手段を備えることを特徴とする。
【００１６】
この発明によれば、人が着座しているシートの吸引手段のみを作動させることで、人が着座しているシートの周囲に、より集中的に帯電微粒子水を集めることができ、帯電微粒子水の効果効能をより得ることができる。
【００１７】
請求項６の発明は、請求項１乃至５いずれかの発明において、前記放出口は、車内の天井に設けられることを特徴とする。
【００１８】
この発明によれば、人の頭上から帯電微粒子水を放出することで、人の髪や顔に集中的に帯電微粒子水を噴霧することができ、髪質改善や肌の保湿という効果をより高めることができる。
【００１９】
請求項７の発明は、請求項１乃至５いずれかの発明において、前記放出口は、車の空調装置の送風路に連通していることを特徴とする。
【００２０】
この発明によれば、静電霧化装置から車内へ帯電微粒子水を放出するために、新たな送風手段を設ける必要がないため、構造を簡略化することができる。
【発明の効果】
【００２１】
以上説明したように、本発明では、人の上半身側に帯電微粒子水を集中させることで、帯電微粒子水による髪質改善や、肌の保湿という効果を十分に得ることができるという効果がある。
【発明を実施するための最良の形態】
【００２２】
以下、本発明の実施の形態を図面に基づいて説明する。
【００２３】
（実施形態１）
本発明の実施形態について図１〜４を用いて説明を行う。なお、図１における上下左右を基準とする。
【００２４】
本実施形態の車載用空気調和装置は、図１に示すようにナノメータサイズの帯電微粒子水を車内に吐出する静電霧化装置２と、車内に配置されたシート１Ａのシートバック１２に形成された吸引口１２ａと、車内の帯電微粒子水を吸引口１２ａを介して吸引するファン（吸引手段）３とを備える。ここで、帯電微粒子水は、人の周囲、特に上半身側へ噴霧されることで、人の毛髪に水分を補給し、毛髪の過乾燥を防止して、更に、毛髪表面にトリートメント効果を与えて、毛髪に艶と潤いを与えることができる。加えて帯電微粒子水は、弱酸性であるため、毛髪をしなやかにする効果がある。また、帯電微粒子水の粒径は３〜数１０ｎｍ程度であって、人体の角質細胞の大きさである７０ｎｍよりも小さな粒径であるため、この帯電微粒子水の暴露により角質層表面の奥までも水分が十分に補給されて、肌に対して高い保湿効果が得られる。
【００２５】
図２は、静電霧化装置２の霧化ユニット部分を示しており、放電電極２１を囲む絶縁材からなる筒体２６の先端開口部に配設されて放電電極２１に対向するリング状の対向電極２２と、放電電極２１を冷却することで空気中の水分を放電電極２１上に結露させる冷却手段２３と、放電電極２１と対向電極２２との間に高電圧を印加する高圧電源部２４とからなるもので、ペルチェ素子で構成されていると共に冷却側に上記放電電極２１が熱的に接続されている冷却手段２３は、その放熱側に放熱フィン２５を備えている。
【００２６】
また、静電霧化装置２は、放熱フィン２５に冷却風を送る図示しないモータファンを備えていると共に、このモータファンから送られる風の一部は、筒体２６の側面に形成される開口２６ａより筒体２６内へ入り、筒体２６の先端開口である放出口２７から吐出される。
【００２７】
また、上記静電霧化装置２では、冷却手段２３が、放電電極２１を冷却することで空気中の水分を結露させて放電電極２１上に結露水を生成する水分供給手段となっており、結露水が放電電極２１に付着している状態で放電電極２１と対向電極２２との間に高電圧を印加すれば、結露水は放電電極２１の先端に集まると共に対向電極２２との間の放電によってレイリー分裂を繰り返して帯電微粒子水となり、上記モータファンによる風に乗って放出口２７から外部に吐出される。そして、静電霧化装置２の放出口２７は、空調装置４（エアコン）の通気経路内４ａに連通されており、帯電微粒子水が、空調装置４の送風に乗って、インストルメントパネル５に形成された空調装置４の吹き出し口６（図３参照）を介して車内に放出される。そのため、静電霧化装置２に帯電微粒子水を車内へ放出させるためのファン等の新たな送風手段を必要としないため、構造の簡略化が可能である。ここで、吹き出し口６から放出された風が、シート１Ａに着座する人に直接当らないように風向が調節されていることで、人に不快感を与えない構造となっている。
【００２８】
シート１Ａは、図４に示すように着座部１１とシートバック１２とヘッドレスト１３とからなり、吸引口１２ａは、ヘッドレスト１３に近いシートバック１２の上端側に形成されている。また、吸引口１２ａからシートバック１２内を通る通気経路１ａが、下方へ向けて延設され、着座部１１の下方で拡径されて、その内部にファン３が設けられる。そして、当該ファン３によって、吸引口１２ａ及び通気経路１ａを介して車内の帯電微粒子水が吸引される。
【００２９】
そして、人がシートに着座している状態で、静電霧化装置２から吹き出し口６を介して車内に放出された帯電微粒子水が、シート１Ａに着座している人の頭部周辺を流れて吸引口１２ａに吸い込まれることで、吸引口１２ａに近い、人の顔、及び髪の周囲に帯電微粒子水が集中する。
【００３０】
以上のように、シートバック１２のヘッドレスト１３側に吸引口１２ａを形成したことで、車内に放出された帯電微粒子水が、顔や髪の周囲に集中するので、帯電微粒子水による髪質改善や、肌の保湿といった効果を高めることができ、更には、吸引口１２ａへの吸い込み風によって、頭部から肩口にかけての蒸れが防止されてリラックス効果を得ることができる。
【００３１】
加えて、図１、５に示すように、車内に設けられた複数のシート１Ａの着座部１１内には、人が着座部１１に着座したことを検知する圧力センサ６がそれぞれ設けられており、、ファン３による吸引動作をオン・オフする制御部８と接続されている。
【００３２】
まず、人が着座部１１に着座した際には、圧力センサ６は、検知信号を制御部８へ送信し、検知信号を受けた制御部８は、ファン３を作動させる。また、人が着座部１１から離れると、圧力センサ６は、制御部８への検知信号の送信を停止し、制御部８はファン３を停止させる。
【００３３】
このようにして、車内において、人が着座しているシートからのみ吸引動作を行い、人が着座していないシートでは吸引動作を行わないことで、車内の帯電微粒子水を、着座している人の上半身側にのみ集中的に集めることができるので、着座している人の上半身側の帯電微粒子水の濃度が更に高くなって、帯電微粒子水による効果をより高めることができる。
【００３４】
また、本実施形態では、静電霧化装置２の放出口２７が、空調装置４の送風経路４ａと連通されていることから、空調装置４から放出される風に乗って帯電微粒子水が車内へ放出されるが、図６で示すように、静電霧化装置２を車の天井に設けてもよく、その場合には、静電霧化装置２の放出口２７より人の頭へ向けて帯電微粒子水を放出することで、人の頭や顔により近い位置から帯電微粒子水を放射することができる。このように、人の頭上から帯電微粒子水を放出することで、帯電微粒子水による髪質改善や肌の保湿といった効果をより高めることができる。なお、静電霧化装置２を車内の任意の位置に設けて、放出口のみを天井に設けてもよい。
【００３５】
（実施形態２）
本発明の実施形態について図７，８を用いて説明を行う。
【００３６】
本実施形態における車載用空気調和装置が、実施形態１の車載用空気調和装置と異なる点は、シート１Ｂのシートバック１２に形成される吸引口１２ｂが、実施形態１のシートバック１２に形成された吸引口１２ａと異なる位置に形成される点である。なお、その他の構成は、実施形態１における車載用空気調和装置と同一であり説明を省略する。
【００３７】
吸引口１２ｂは、シートバック１２の前面（人がシート１Ｂに着座した際に、人の背中が当接する面）に形成されており（図７参照）、吸引口１２ｂからシートバック１２内を通る通気経路１ｂが下方へ向けて延設されて、着座部１１の下方で拡径されて、その内部にファン３が設けられる。そして、当該ファン３によって、吸引口１２ｃ及び通気経路１ｂを介して車内の帯電微粒子水が吸引される（図８参照）。
【００３８】
そして、人がシートに着座している状態で、静電霧化装置２Ｂから吹き出し口６を介して車内に放出された帯電微粒子水が、シート１Ｂに着座している人の上半身に沿って背中側へ流れ込み吸引口１２ｂに吸い込まれることで、シート１Ｂに着座した人の上半身の周囲に帯電微粒子水が集中する。
【００３９】
以上のように、シートバック１２の前面に吸引口１２ｂを形成したことで、車内の帯電微粒子水が、上半身の周囲に集中し、顔や髪の周囲の帯電微粒子の濃度も高くなることから、帯電微粒子水による髪質改善や、肌の保湿といった効果を高めることができ、更には、吸引口１２ｂへの吸引風によって、背中の周辺の湿度が下がって背中の蒸れが防止され、リラックス効果を得ることができる。
【００４０】
なお、本実施形態では、シートバック１２に吸引口１２ｂのみが設けられているが、実施形態１で示した吸引口１２ａが吸引口１２ｂと共に設けられていてもよく、その際には、実施形態１で示した効果についても同様に得ることができる。
【００４１】
（実施形態３）
本発明の実施形態について図９，１０、１１を用いて説明を行う。
【００４２】
本実施形態における車載用空気調和装置が、実施形態１の車載用空気調和装置と異なる点は、シートバック１２に形成される吸引口１２ｃが、実施形態１のシートバック１２に形成された吸引口１２ａと異なる位置に形成される点である。なお、その他の構成は、実施形態１における車載用空気調和装置と同一であり説明を省略する。
【００４３】
吸引口１２ｃは、シートバック１２の側面に形成されており（図９参照）、吸引口１２ｃからシートバック１２内を通る図示しない通気経路が下方へ向けて延設されて、着座部１１の下方で拡径され、その内部にファン３が設けられる。そして、当該ファン３によって、吸引口１２ｃ及び通気経路を介して車内の帯電微粒子水が吸引される。
【００４４】
そして、人がシートに着座している状態で、静電霧化装置２からが車内に放出された帯電微粒子水が、シート１Ｃに着座している人の両側を通って吸引口１２ｃに吸い込まれることで、シート１Ｃに着座している人の上半身を、帯電微粒子水を含む風が包み込むように流れる。
【００４５】
以上のように、シートバック１２の側面に吸引口１２ｃを形成したことで、車内の帯電微粒子水が、直接体に当らずに上半身を包み込むように流れる。従って、不快感を与えずリラックス効果を得ることができ、更には、顔や髪の周囲の帯電微粒子水の濃度も高くなることから、帯電微粒子水による髪質改善や、肌の保湿といった効果を高めることができる。
【００４６】
更に、図１０に示すように、着座部１１の側面にも吸引口１１ａを形成して、吸引口１１ａと吸引口１２２ｂのそれぞれを介して吸引を行うことで、帯電微粒子水が、体全体を包み込むように流れるようになって（図１１参照）、よりリラックス効果を高めることができる。
【００４７】
なお、本実施形態では、シートバック１２に吸引口１２ｃのみが設けられているが、実施形態１、２で示した吸引口１２ａ、１２ｂが吸引口１２ｃと共に設けられていてもよく、その際には、実施形態１、２で示した効果についても同様に得ることができる。
【図面の簡単な説明】
【００４８】
【図１】本発明の実施形態１における概略構成図を示す。
【図２】同上における静電霧化装置の概略構成図を示す。
【図３】同上におけるインストルメントパネルの斜視図を示す。
【図４】同上におけるシートの縦断面図を示す。
【図５】同上におけるシートの斜視図を示す。
【図６】同上における車内の概略構成図を示す。
【図７】本発明の実施形態２におけるシートの斜視図を示す。
【図８】同上におけるシートの縦断面図を示す。
【図９】本発明の実施形態３におけるシートの斜視図を示す。
【図１０】同上におけるシートの着座部にも吸引口を設けた際の斜視図を示す。
【図１１】同上におけるシートの正面図を示す。
【符号の説明】
【００４９】
１Ａ  シート
２  静電霧化装置
１１  着座部
１２  シートバック
１２ａ  吸引口
１３  ヘッドレスト
３  ファン
【図１】
2010076591.tif 000003
【図２】
2010076591.tif 000004
【図３】
2010076591.tif 000005
【図４】
2010076591.tif 000006
【図５】
2010076591.tif 000007
【図６】
2010076591.tif 000008
【図７】
2010076591.tif 000009
【図８】
2010076591.tif 000010
【図９】
2010076591.tif 000011
【図１０】
2010076591.tif 000012
【図１１】
2010076591.tif 000013